(57)【特許請求の範囲】
【請求項１】
釣り用リールを回転操作するためのリール用ハンドルであって、
把手軸と、
前記把手軸に回転自在に支持され、木を素材として用いた筒状のハンドル把手と、
前記ハンドル把手の少なくとも外周面の一部を覆うように嵌め込まれた補強リングと、
を備えたリール用ハンドル。
【請求項２】
前記ハンドル把手は、木の木目を前記把手軸の軸方向に沿って配置してある、請求項１に記載のリール用ハンドル。
【請求項３】
前記把手軸とハンドル把手との間に配置された軸受をさらに備えた、請求項１又は２に記載のリール用ハンドル。
【請求項４】
前記補強リングは金属製である、請求項１から３のいずれかに記載のリール用ハンドル。
【請求項５】
前記補強リングは、前記ハンドル把手の外径と面一となるように嵌め込まれている、請求項１から４のいずれかに記載のリール用ハンドル。
【請求項６】
前記補強リングは、ハンドル把手の端面をも覆うように嵌め込まれている、請求項１から５のいずれかに記載のリール用ハンドル。
【請求項７】
前記補強リングは、前記外周面に間隔を隔てて複数箇所嵌め込まれている、請求項１から６のいずれかに記載のリール用ハンドル。
【請求項８】
前記ハンドル把手の内周面に嵌め込まれた金属又は合成樹脂製のカラーをさらに備えた、請求項１から７のいずれかに記載のリール用ハンドル。
【発明の詳細な説明】
【０００１】
【発明の属する技術分野】
本発明は、ハンドル把手、特に、釣り用リールを回転操作するためのリール用ハンドルに関する。
【０００２】
【従来の技術】
従来、外観的な要求や把握時の感触が良いこと等から、フライリール（片軸受リール）や小型両軸受リールのハンドルとして、合成樹脂や金属に代えて表面を塗装した天然木材や樹脂を含浸させた加工木材等を用いた木製のハンドル把手を有するものがよく使用される。特に、樹脂を含浸させ積層させて圧縮することによって形成される加工木材は、積層面が木目そっくりに形成され見た目が一般木材と変わらないものでありながら、一般木材より強度が高く吸水変形もし難いため、ハンドル把手の素材としては好ましい。この種の木製のハンドル把手は、通常、木目をハンドル把手を支持する把手軸の軸方向に沿って配置している。
【０００３】
【発明が解決しようとする課題】
前記従来の木製のハンドル把手は、通常の合成樹脂製のものや金属製のものに比べて、天然木製ではもちろん、加工木材製であっても木目方向に繊維が配向しているため、この方向への剪断に対しては強度が低いという問題がある。したがって、何かの物に当たって衝撃を受けたとき、木目に沿ってハンドル把手が割れることがある。特に、ハンドル把手の回転を軽くするために転がり軸受等の軸受を介装した場合には、軸受の厚み分ハンドル把手の肉厚が薄くならざるをえず、木目方向の強度がより低くなり、この木目に沿って割れるという現象が一層生じやすい。
【０００４】
本発明の目的は、木製の釣り用リールのハンドルにおいて、外観や感触を維持してハンドル把手の木目方向の強度を向上させることにある。
【０００５】
【課題を解決するための手段】
発明１に係るリール用ハンドルは、釣り用リールを回転操作するためのハンドルであって、把手軸と、ハンドル把手と、補強リングとを備えている。ハンドル把手は、把手軸に回転自在に支持され、木を素材として用いた筒状の把手である。補強リングは、ハンドル把手の少なくとも外周面の一部を覆うように嵌め込まれたものである。
【０００６】
ここでは、ハンドル把手の外周面の少なくとも一部を覆うように補強リングが嵌め込まれているので、ハンドル把手に衝撃が加わっても木目に沿って割れにくくなる。
発明２に係るリール用ハンドルは、発明１に記載のハンドルにおいて、前記ハンドル把手は、木の木目を前記把手軸の軸方向に沿って配置してある。この場合には、木目を軸方向と交差させる場合に比べて把手全体の強度が高くなる。
【０００７】
発明３に係るリール用ハンドルは、発明１または２に記載のハンドルにおいて、前記把手軸とハンドル把手との間に配置された軸受をさらに備えている。ここでは、軸受を設けたので、ハンドル把手を掴んだままでのハンドル操作が容易になる。
発明４に係るリール用ハンドルは、発明１から３のいずれかに記載のハンドルにおいて、前記補強リングは金属製であるので、衝撃が加わっても傷つきにくくなる。
【０００８】
発明５に係るリール用ハンドルは、発明１から４のいずれかに記載のハンドルにおいて、前記補強リングは、ハンドル把手の外径と面一となるように嵌め込まれているので、ハンドル把手外周面との段差がなくなり、握った時に指に対して違和感が少なくなる。
発明６に係るリール用ハンドルは、発明１から５のいずれかに記載のハンドルにおいて、前記補強リングは、ハンドル把手の端面をも覆うように嵌め込まれているので、落下時等に端部に物が当たっても傷つきにくくなりかつ割れにくくなる。
【０００９】
発明７に係るリール用ハンドルは、発明１から６のいずれかに記載のハンドルにおいて、前記補強リングは、外周面に間隔を隔てて複数箇所嵌め込まれているので、木目方向の強度がより向上する。
発明８に係るリール用ハンドルは、発明１から７のいずれかに記載のハンドルにおいて、前記ハンドル把手の内周面に嵌め込まれた金属又は合成樹脂製のカラーをさらに備えているので、比較的寸法精度を維持にしにくい木製のハンドル把手を用いてもカラー部分で全体の寸法精度を高く維持でき、ハンドル把手のガタツキを抑制できる。
【００１０】
【発明の実施の形態】
図１は、本発明の一実施形態を採用した片軸受リールを示している。片軸受リールは、リール本体１と、リール本体１に片持ち支持されたスプール軸２と、スプール軸２に対して相対回転自在に配置され外周に釣り糸が巻かれるスプール３とを備えている。
【００１１】
〔全体の構造〕
リール本体１は、一方側（図１左側）に円盤状の側板１０を有し、他方側は開放されている。側板１０の外周には、軸方向に延びる複数の保護部１１が円周方向に所定の間隔で形成されている。保護部１１には、この片軸受リールを釣り竿に取り付けるための取付部１２が設けられている。スプール軸２は、その一端がリール本体１の側板１０の中心部にねじ込み固定されている。
【００１２】
スプール３は、内部に空間３ａを有する筒状の胴部１５と、胴部１５の一端部に形成された円盤状の内フランジ１６と、胴部１５の他端部にリール本体１の開放部を覆うように形成された外フランジ１７とを有している。内フランジ１６はリール本体１の側板１０と対向するように形成されている。空間３ａのうちスプール軸２の先端側は端面部１８で塞がれている。端面部１８は胴部１５および内外フランジ１６、１７と一体形成されている。端面部１８の外面は、中心部分がわずかに外側に膨出し、中心から外周に向かって緩やかに傾斜して平坦な外フランジ１７の外面へと連続的につながっている。外フランジ１７の外面で外周近くにはハンドル１９が取り付けられている。
【００１３】
スプール３の内部空間３ａ内には、スプール３をスプール軸２に対して回転自在に支持する１対の転がり軸受２１、２２と、スプール３の釣り糸繰り出し方向の回転を制動する回転制動機構２３と、スプール３のスプール軸２からの抜け出しを防止するための係脱機構２４と、制動時にその旨を報知するクリック音を発する発音機構２５とが設けられている。
【００１４】
回転制動機構２３は、筒状のホルダ３０と、一方向クラッチ３１と、ブレーキプレート３２と、ブレーキプレート３２をホルダ３０に押圧するための押圧機構２６とを有している。
ホルダ３０は、スプール３に対して相対回転自在に装着されており、内部に一方向クラッチ３１を収納している。また、ホルダ３０には、発音機構２５を構成するばね部材３４が支持されている。一方向クラッチ３１は、ホルダ３０とスプール軸２との間に配置されており、ホルダ３０がスプール軸２に対して釣り糸巻き上げ方向に相対回転するのは許容するが、ホルダ３０がスプール軸２に対して釣り糸繰り出し方向に相対回転するのは禁止する。ブレーキプレート３２は、ホルダ３０の図１左端面と押圧機構２６との間に配置されている。
【００１５】
〔ハンドルの構成〕
ハンドル１９は、図２に拡大して示すように、外フランジ１７の外周面近くに取付ネジ４０により固定された把手軸４１と、把手軸４１の外周に転がり軸受４２を介して回転自在に支持されたハンドル把手４３と、ハンドル把手４３に、その外周面から先端部を覆うように嵌め込まれた補強リング４４とを有している。
【００１６】
把手軸４１は中空軸であり、その内部に雌ネジ孔５０が形成されている。この雌ネジ孔５０の基端部に取付ネジ４０がねじ込まれている。把手軸４１の先端外周部には転がり軸受４２が配置されており、雌ネジ孔５０の先端部にはハンドル把手４３を固定するための取付ネジ４５がねじ込まれている。取付ネジ４５の先端面には工具係止用の係止溝４６が形成されている。
【００１７】
ハンドル把手４３は、フェノール樹脂等の合成樹脂を含浸させた木材を積層圧縮して得られた素材を略円筒状に加工して得られた部材である。その外周面は、握ったときの感触を向上させるために中央部を僅かに小径にしてある。また、ハンドル把手４３の基端面には後述するワッシャ５５との摩擦面を小さくするために座繰り部４７が形成されている。ハンドル把手４３の内部の貫通孔５２は先端に大径部５３を有している。大径部５３の開口端部において、取付ネジ４５の先端には大径部５３よりわずかに小径の金属または樹脂製のキャップ５４が接着又は嵌め込みにより固定されている。キャップ５４は補強リング４４の端面と面一となっており、このリールの型番等を記載した銘板となっている。このキャップ５４を設けることで、貫通孔５２への塵等の進入を防止しかつ美観及び感触の向上を図っている。また、ハンドル把手４３の基端側と外フランジ１７との間にはワッシャ５５が配置されている。
【００１８】
補強リング４４は、たとえばアルミニウム，ステンレス，チタン等の錆びにくい金属をたとえば切削加工して製造された部材であり、ハンドル把手４３の先端部外周に圧入または接着により嵌め込まれている。補強リング４４は、外周面がハンドル把手４３と面一となるように形成されている。補強リング４４の端部内径は、貫通孔５２の大径部５３の内径と同一寸法である。なお、他のものと当たったときに金属同士が当たるように、補強リング４４の内径を大径部５３の内径より小さくしてもよい。
【００１９】
ここでは、補強リング４４がハンドル把手４３の外径と面一となるように嵌め込まれているので、ハンドル把手４３外周面と補強リング４４との段差がなくなり、握った時に指に対して違和感が少なくなる。また、手が滑ってリールを落下させたりして河原の石等に当たってハンドル把手４３に衝撃が加わった場合でも、このリールには、ハンドル把手４３の外周に補強リング４４が嵌め込まれているので、ハンドル把手４３が木目に沿って割れにくい。さらに、補強リング４４が金属製であるため、補強リング４４にものが当たっても傷つきにくい。また、補強リング４４が、ハンドル把手４３の端面をも覆うように嵌め込まれているので、落下時等に端部に物が当たっても傷つきにくくなりかつ割れにくくなる。
【００２０】
このように構成されたハンドル１９は、外フランジ１７に以下の手順で取り付けられる。
まず、把手軸４１に転がり軸受４２を嵌め、取付ネジ４５で固定する。次に、その取付ネジ４５の先端部で係止溝４６が形成された側にキャップ４５を接着し、この状態の把手軸４１を補強リング４４を嵌め込んだハンドル把手４３とワッシャ５５とに挿通して外フランジ１７に取付ネジ４０により取り付ける。
【００２１】
〔リールの動作〕
次に動作について説明する。
図示していないが、スプール３の胴部１５の外周には釣り糸が巻かれる。釣り糸を巻き取る際には、ハンドル把手４３を握ってスプール３を回転させる。このとき、ハンドル１９に転がり軸受４２を設けたので、ハンドル把手４３を掴んだままでのハンドル操作が容易になる。
【００２２】
スプール３を回転させると、スプール３はスプール軸２に対して相対回転する。このとき、一方向クラッチ３１はホルダ３０のスプール軸２に対する巻取り方向の回転は許容するので、回転制動機構２３、発音機構２５等のスプール３の内部空間３ａに収納された部品はスプール３とともに回転する。したがって、回転が制動されることなく、また発音することなくスプール３はスムーズに回転する。
【００２３】
スプール３から釣り糸を繰り出す際には、スプール３は前記とは逆方向に回転する。このとき、スプール３とホルダ３０とは、ブレーキプレート３２を介して互いに圧接されているので、ホルダ３０はスプール３と同方向に回転しようとする。しかし、一方向クラッチ３１によってホルダ３０の繰り出し方向の回転は禁止されている。そのため、コイルばね（図示せず）の付勢力により設定された制動力がスプール３の回転力に作用し、スプール３は所定のブレーキが作用した状態となる。このため、スプール３が必要以上に回転して釣り糸が過剰に引き出されるのを防止でき、糸からみを避けることができる。また、このとき、ホルダ３０は回転が禁止され、スプール３は回転するので、ホルダ３０内に支持されたバネ部材３４に対して胴部１５が相対回転し、発音機構２５は、スプール３の回転に伴ってクリック音を発生する。
【００２４】
〔他の実施形態〕
（ａ）  図３に示すように、ハンドル１９ａのハンドル把手４３ａを、木製の把手本体５６と、把手本体５６の内周側に圧入された金属又は合成樹脂製の鍔付のカラー５７とから構成してもよい。把手本体５５の先端側には外周面から端面にかけて補強リング４４が嵌め込まれている。この実施形態では、金属又は合成樹脂製のカラー５７が把手本体５６の内周面に嵌め込まれてきるので、比較的寸法精度を維持にしにくい木製のハンドル把手を用いてもカラー部分で全体の寸法精度を高く維持でき、ハンドル把手４３ａのガタツキを抑制できる。
【００２５】
（ｂ）  図４に示すように、ハンドル１９ｂのハンドル把手４３の基端部外周面等の先端部以外に別の補強リング４４ａを嵌め込んでもよい。また、取付ネジ４５ａにはキャップは嵌め込まれておらず、先端に大径部５３を塞ぐ鍔部５８が形成され、鍔部５８とネジ部分との間に平行に面取りされた工具係止用の係止面５９が形成されている。この係止面を利用して取付ネジ４５ａを把手軸４１にねじ込むことができる。
【００２６】
このハンドル１９ｂの外フランジ１７への取り付け手順は、実施形態１と同様であり、把手軸４１に転がり軸受４２を嵌め、取付ネジ４５ａで固定する。この固定の際には取付ネジ４５ａの係止面９にスパナ等の工具を係止して取付ネジ４５ａを把手軸４１にねじ込む。次に、この状態の把手軸４１を補強リング４４を嵌め込んだハンドル把手４３とワッシャ５５とに挿通して外フランジ１７に取付ネジ４０により取り付ける。
【００２７】
ここでは、２つの補強リング４４，４４ａが外周面に間隔を隔てて嵌め込まれているので、木目方向の強度がより向上する。また、取付ネジ４５の先端に工具係止用の溝等を形成する必要がないので、ハンドル１９ａの先端を滑らかな面にすることができ、先端の美観が向上する。
（ｃ）  図５に示すように、ハンドル１９ｃのハンドル把手４３ｂを軸受を介さずに直接把手軸４１ａに装着するようにしてもよい。また、先端側の補強リング４４ｂは、先端面を覆わず外周面のみ覆うようにしてもよい。この場合、ハンドル把手４３ｂは、把手軸４１ａに多少の隙間がある状態で嵌め込まれている。また、大径部５３は、取付ネジ４５ａとの間にも多少の隙間があるように形成されている。
【００２８】
ここでは、転がり軸受を用いていないので、その分だけ部品コストが低減する。
（ｄ）  このハンドルを片軸軸受リールに代えて、両軸受リールやスピニングリールに用いることもできる。
【００２９】
【発明の効果】
本発明に係るリール用ハンドルでは、ハンドル把手の外周面の少なくとも一部を覆うように補強リングが嵌め込まれているので、ハンドル把手に衝撃が加わっても木目に沿って割れにくくなる。
【図面の簡単な説明】
【図１】本発明の一実施形態が採用された片軸受リールの縦断面図。
【図２】ハンドル部分の断面拡大図。
【図３】他の実施形態の図２に相当する図。
【図４】他の実施形態の図２に相当する図。
【図５】他の実施形態の図２に相当する図。
【符号の説明】
１９，１９ａ，１９ｂ，１９ｃ  ハンドル
４１，４１ａ  把手軸
４２  転がり軸受
４３，４３ａ，４３ｂ  ハンドル把手
４４，４４ａ，４４ｂ  補強リング
５７  カラー
【図１】
0003593407.tif 000002
【図２】
0003593407.tif 000003
【図３】
0003593407.tif 000004
【図４】
0003593407.tif 000005
【図５】
0003593407.tif 000006